(57)【要約】      （修正有）【課題】リバースチルトドメインの発生を抑制する。【解決手段】液晶表示装置１００は、第１の表面を備えた第１の基板１０と、第１の表面上に形成され、第１の方向に長手を備えたスリット１４ａが設けられた反射電極１４と、第１の表面上に反射電極１４を覆って形成され、第１の方向と成す角度が４５度よりも小さい第２の方向にラビング処理された配向膜２２と、第２の表面を備え、第２の表面が第１の表面と対向し、かつ、所定間隔離間して配置された第２の基板４０と、第２の表面上に形成された共通電極４４と、第１の表面と第２の表面との間に配置された液晶層５０と、を有する。【選択図】図３
2013195473.tif 000002
【特許請求の範囲】
【請求項１】
第１の表面を備えた第１の基板と、
前記第１の表面上に形成され、第１の方向に長手を備えたスリットが設けられた反射電極と、
前記第１の表面上に前記反射電極を覆って形成され、前記第１の方向と成す角度が４５度よりも小さい第２の方向にラビング処理された配向膜と、
第２の表面を備え、前記第２の表面が前記第１の表面と対向し、かつ、所定間隔離間して配置された第２の基板と、
前記第２の表面上に形成された共通電極と、
前記第１の表面と前記第２の表面との間に配置された液晶層と、
を有する液晶表示装置。
【請求項２】
前記スリットは、前記第１の方向の端である第１の端部と、反対側の第２の端部とを備え、前記第１の端部の第１の幅は、前記第２の端部の第２の幅よりも狭い、
請求項１記載の液晶表示装置。
【請求項３】
前記スリットは、前記第１の端部と前記第２の端部との間に、中間部を備え、前記第２の端部から前記中間部にかけて前記第２の幅で延在し、前記中間部から前記第１の端部にかけて幅が徐々に狭くなっている、
請求項２記載の液晶表示装置。
【請求項４】
前記スリットは、前記第２の端部から前記第１の端部にかけて幅が徐々に狭くなっている、
請求項２記載の液晶表示装置。
【請求項５】
前記第１の端部は、鋭角を成している、
請求項２記載の液晶表示装置。
【請求項６】
画像を表示する液晶表示装置を備え、
前記液晶表示装置が、
第１の表面を備えた第１の基板と、
前記第１の表面上に形成され、第１の方向に長手を備えたスリットが設けられた反射電極と、
前記第１の表面上に前記反射電極を覆って形成され、前記第１の方向と成す角度が４５度よりも小さい第２の方向にラビング処理された配向膜と、
第２の表面を備え、前記第２の表面が前記第１の表面と対向し、かつ、所定間隔離間して配置された第２の基板と、
前記第２の表面上に形成された共通電極と、
前記第１の表面と前記第２の表面との間に配置された液晶層と、を有する、
電子機器。
【発明の詳細な説明】
【技術分野】
【０００１】
本技術は、画像を表示する液晶表示装置、および、電子機器に関する。
【背景技術】
【０００２】
例えば、複数の画素領域を備え、各画素領域に反射電極が形成されたアレイ基板と、アレイ基板と対向して配置された対向基板と、アレイ基板と対向基板との間に形成された液晶層とを有する反射表示型の液晶表示装置がある。
反射表示型の液晶表示装置では、対向基板の外側から入射した光が反射電極によって反射し、反射した光が液晶層を通過して対向基板の外側に出射することで、画像の表示が行われる。このような反射表示型の液晶表示装置では、表示に外光を利用しているため、暗所では視認性が低下する。
【０００３】
これに対して、暗所での視認性を向上させるため、アレイ基板の外側に光源を配置し、かつ、反射電極に開口部を設ける技術がある。この技術によれば、光源から出射した光の一部を、開口部を介して液晶層を通過させ、対向基板の外側に出射させることで、画像を表示することができる。すなわち、この技術では、反射表示型の液晶表示装置の一部が、透過表示型の液晶表示装置として機能する。このような液晶表示装置は、例えば、半透過型液晶表示装置と称される。
【先行技術文献】
【特許文献】
【０００４】
【特許文献１】特開２００１−１０８８１８号公報
【発明の概要】
【発明が解決しようとする課題】
【０００５】
しかしながら、反射電極に開口部を設ける場合、開口部の辺に位置する液晶層の液晶分子が、電界が供給された際に他の領域の液晶分子とは逆の方向に立ち上がることがある。このように、液晶分子が他の領域の液晶分子とは逆の方向に立ち上がる領域を、リバースチルトドメイン（逆チルト領域）と称することもある。液晶層にリバースチルトドメインが発生すると、外光の反射性能が低下する可能性がある。
【０００６】
このような点に鑑み、開示の液晶表示装置、および、電子機器では、リバースチルトドメインの発生を抑制することを目的とする。
【課題を解決するための手段】
【０００７】
上記目的を達成するために、以下のような液晶表示装置、および、電子機器が提供される。
【０００８】
この液晶表示装置は、第１の表面を備えた第１の基板と、第１の表面上に形成され、第１の方向に長手を備えたスリットが設けられた反射電極と、第１の表面上に反射電極を覆って形成され、第１の方向と成す角度が４５度よりも小さい第２の方向にラビング処理された配向膜と、第２の表面を備え、第２の表面が第１の表面と対向し、かつ、所定間隔離間して配置された第２の基板と、第２の表面上に形成された共通電極と、第１の表面と第２の表面との間に配置された液晶層と、を有する。
【０００９】
また、この電子機器は、画像を表示する液晶表示装置を備え、液晶表示装置が、第１の表面を備えた第１の基板と、第１の表面上に形成され、第１の方向に長手を備えたスリットが設けられた反射電極と、第１の表面上に反射電極を覆って形成され、第１の方向と成す角度が４５度よりも小さい第２の方向にラビング処理された配向膜と、第２の表面を備え、第２の表面が第１の表面と対向し、かつ、所定間隔離間して配置された第２の基板と、第２の表面上に形成された共通電極と、第１の表面と第２の表面との間に配置された液晶層と、を有する。
【発明の効果】
【００１０】
開示の液晶表示装置、および、電子機器によれば、リバースチルトドメインの発生を抑制することができる。
【図面の簡単な説明】
【００１１】
【図１】実施の形態に係る液晶表示装置の一例を示す上面図である。
【図２】図１における１つの画素領域を示す上面図である。
【図３】図２の点線Ａ−Ａ´における断面図である。
【図４】実施の形態に係る反射電極のスリットの一例を示す図である。
【図５】実施の形態に係る反射電極のスリットの延在方向と配向膜のラビング方向との関係の一例を示す図である。
【図６】参考例を示す断面図である。
【図７】実施の形態に係るリバースチルトドメインの一例を示す図である。
【図８】比較例１を示す図である。
【図９】比較例２を示す図である。
【図１０】変形例を示す図である。
【図１１】液晶表示装置が適用されるテレビジョン装置の外観の一例を示す図である。
【図１２】液晶表示装置が適用されるデジタルカメラの外観の一例を示す図である。
【図１３】液晶表示装置が適用されるノート型パーソナルコンピュータの外観の一例を示す図である。
【図１４】液晶表示装置が適用されるビデオカメラの外観の一例を示す図である。
【図１５】液晶表示装置が適用される携帯電話機の外観の一例を示す図である。
【発明を実施するための形態】
【００１２】
以下、実施の形態を図面を参照して説明する。
［実施の形態］
実施の形態の液晶表示装置は、複数の画素領域が形成されたアレイ基板と、アレイ基板と対向して配置された対向基板と、アレイ基板と対向基板との間に配置された液晶層とを有している。
【００１３】
図１は、実施の形態に係る液晶表示装置の一例を示す上面図である。なお、図１では、対向基板および液晶層については図示を省略している。
液晶表示装置１００のアレイ基板は、表面１１ａを備えた透明基板１１を有している。透明基板１１の表面１１ａ上には、それぞれがＸ方向に延在する複数のゲート線１２と、それぞれがＸ方向と直交するＹ方向に延在してゲート線１２と交差する複数の信号線１３とが形成されている。
【００１４】
ゲート線１２には、図示しない駆動回路から走査信号が供給され、信号線１３には、図示しない駆動回路から表示データに基づいた電位が供給される。ここで、ゲート線１２および信号線１３によって取り囲まれた領域が、それぞれ画素領域となる。
【００１５】
さらに、表面１１ａ上には、画素領域のそれぞれに、光を反射し、かつ、液晶層を駆動する反射電極１４が形成されている。反射電極１４の材料には、例えば、銀（Ａｇ）やアルミニウム（Ａｌ）が用いられている。反射電極１４には、Ｙ方向に長手を備えたスリット１４ａが設けられている。
【００１６】
次に、液晶表示装置１００の詳細な構造について、１つの画素領域の構造を示して説明する。
図２は、図１における１つの画素領域を示す上面図である。図３は、図２の点線Ａ−Ａ´における断面図である。なお、図２では、対向基板４０および液晶層５０については図示を省略している。
図３に示すように、液晶表示装置１００は、アレイ基板１０と、アレイ基板１０と対向して配置された対向基板４０と、アレイ基板１０と対向基板４０との間に配置された液晶層５０とを有している。
【００１７】
アレイ基板１０は、表面１１ａと、表面１１ａとは反対側の表面１１ｂとを備えた透明基板１１を有している。透明基板１１には、例えば、ガラス基板が用いられている。表面１１ｂ上には、偏光板１５が形成されている。また、表面１１ｂ側には、例えば、バックライト等の光源（図示せず）が配置されている。
【００１８】
表面１１ａ上には、ゲート線１２、および、保持容量線１６が形成されている。ここで、図２では、保持容量線１６の図示を省略している。さらに、表面１１ａ上には、ゲート線１２および保持容量線１６を覆って、絶縁膜１７が形成されている。絶縁膜１７の材料には、例えば、窒化シリコン（ＳｉＮｘ）が用いられている。
【００１９】
さらに、絶縁膜１７上には、半導体層１８が形成されている。半導体層１８は、ゲート線１２の上方に位置している。半導体層１８の材料には、例えば、アモルファスシリコンが用いられている。さらに、絶縁膜１７上、および、半導体層１８上には、信号線１３および画素電極１９が形成されている。画素電極１９には、図２に示すように、Ｙ方向に長手を備えた開口部１９ａが設けられている。
【００２０】
ここで、ゲート線１２、半導体層１８、および、半導体層１８上に形成された信号線１３および画素電極１９は、薄膜トランジスタ（ＴＦＴ：Thin Film Transistor）を構成している。すなわち、ゲート線１２に所定の電位が供給されると、半導体層１８にチャネルが形成され、信号線１３と画素電極１９とが電気的に接続される。
【００２１】
図３に戻り、絶縁膜１７上には、半導体層１８、信号線１３、および、画素電極１９を覆って、絶縁膜２０が形成されている。絶縁膜２０の材料には、例えば、窒化シリコンが用いられている。絶縁膜２０上には、平坦化膜２１が形成されている。
【００２２】
平坦化膜２１上には、反射電極１４が形成されている。図２に示すように、反射電極１４は、画素領域を覆って形成されている。反射電極１４には、Ｙ方向に長手を備えたスリット１４ａが設けられている。
【００２３】
ここで、スリット１４ａは、画素電極１９の開口部１９ａに全体が含まれている。すなわち、スリット１４ａは、開口部１９ａを露出している。これにより、透明基板１１の表面１１ｂ側に配置された光源の照射光は、開口部１９ａおよびスリット１４ａを経由して液晶層５０側に透過する。また、反射電極１４は、コンタクトホールＣ１を介して、画素電極１９と電気的に接続されている。
【００２４】
さらに、平坦化膜２１上には、反射電極１４を覆って、配向膜２２が形成されている。配向膜２２には、所定の方向にラビング処理（配向処理）が施されている。
【００２５】
図３に戻り、対向基板４０は、表面４１ａと表面４１ａとは反対側の表面４１ｂとを備えた透明基板４１を有している。透明基板４１は、表面４１ａが透明基板１１の表面１１ａと対向するように配置されている。透明基板４１には、例えば、ガラス基板が用いられている。表面４１ｂ上には、偏光板４２が形成されている。
【００２６】
表面４１ａ上には、カラーフィルター４３が形成されている。さらに、カラーフィルター４３上には、共通電極４４が形成されている。共通電極４４の材料には、例えば、ＩＴＯ（Indium Tin Oxide）やＩＺＯ（Indium Zinc Oxide）等が用いられている。共通電極４４上には、配向膜４５が形成されている。配向膜４５には、所定の方向にラビング処理が施されている。
【００２７】
そして、液晶層５０は、アレイ基板１０の配向膜２２と、対向基板４０の配向膜４５とに挟まれて配置されている。
【００２８】
液晶表示装置１００では、例えば、信号線１３に表示データに基づいた電位が供給され、ゲート線１２に走査信号が供給されることで、液晶層５０に対して画素領域毎に、反射電極１４と共通電極４４とにより表示データに基づいた電界が供給される。これにより、画素領域毎に液晶分子の向きが供給される電界に基づいて変化する。この状態で、光が液晶層５０を通過して、透明基板４１の表面４１ｂ側から出射することで、画像の表示が行われる。
【００２９】
具体的には、反射表示モードでは、透明基板４１の表面４１ｂ側から外光が偏光板４２を介して入射し、入射した光が反射電極１４によって反射し、反射した光が液晶層５０を通過して透明基板４１の表面４１ｂ側に出射する。
【００３０】
一方、透過表示モードでは、透明基板１１の表面１１ｂ側から、光源の照射光が偏光板１５を介して入射し、入射した光が反射電極１４のスリット１４ａを経由して液晶層５０側に透過する。そして、透過した光が液晶層５０を通過して透明基板４１の表面４１ｂ側に偏光板４２を介して出射する。
【００３１】
次に、反射電極１４に設けられたスリット１４ａの詳細について説明する。
図４は、実施の形態に係る反射電極のスリットの一例を示す図である。
スリット１４ａは、Ｙ方向に長手を備え、Ｙ方向の端である端部１４ａａと、反対側の端部１４ａｂと、端部１４ａａと端部１４ａｂとの間に位置する中間部１４ａｃとを備えている。ここで、端部１４ａａの幅Ｗ１は、端部１４ａｂの幅Ｗ２よりも狭い。ここでは、幅Ｗ１は「０」となり、端部１４ａａは鋭角を成している。
【００３２】
また、スリット１４ａは、端部１４ａｂから中間部１４ａｃにかけて幅Ｗ２で延在し、中間部１４ａｃから端部１４ａａにかけて幅が徐々に狭くなっている。中間部１４ａｃと端部１４ａａとは、Ｙ方向に対して傾斜した斜辺１４ａｄで結ばれている。
【００３３】
次に、反射電極１４に設けられたスリット１４ａの延在方向と、配向膜２２，４５のラビング方向との関係について説明する。
図５は、実施の形態に係る反射電極のスリットの延在方向と配向膜のラビング方向との関係の一例を示す図である。
【００３４】
アレイ基板１０の配向膜２２のラビング方向Ｄ２２は、反射電極１４のスリット１４ａの延在方向Ｄ１４ａと直交する方向Ｄ１，Ｄ２よりも、延在方向Ｄ１４ａに近い方向を向いている。ここで、延在方向Ｄ１４ａは、図４に示す端部１４ａｂから端部１４ａａに向かう方向である。すなわち、延在方向Ｄ１４ａは、Ｙ方向と同じである。
【００３５】
つまり、ラビング方向Ｄ２２と延在方向Ｄ１４ａとの成す角度は、４５度よりも小さい。すなわち、ラビング方向Ｄ２２は、延在方向Ｄ１４ａに対して反時計回りに４５度回転した方向Ｄ３と、延在方向Ｄ１４ａに対して時計回りに４５度回転した方向Ｄ４との間の方向に設定されている。ここでは、ラビング方向Ｄ２２は、延在方向Ｄ１４ａに対して、反時計回りに１５度回転した方向に設定されている。
【００３６】
また、対向基板４０の配向膜４５のラビング方向Ｄ４５は、ラビング方向Ｄ２２との成す角度が、１１０度以上、１８０度以内となるように設定されている。ここでは、ラビング方向Ｄ４５は、ラビング方向Ｄ２２に対して、反時計回りに１２０度回転した方向に設定されている。
【００３７】
次に、液晶層に発生するリバースチルトドメインについて参考例を用いて説明する。
図６は、参考例を示す断面図である。
参考例の液晶表示装置２００は、アレイ基板２１０、対向基板２２０、および、液晶層２３０を有している。アレイ基板２１０には、スリット２１１ａが設けられた反射電極２１１が形成されている。なお、図６は、スリット２１１ａの延在方向における断面図である。また、スリット２１１ａの延在方向は、アレイ基板２１０側のラビング方向Ｄ２１０と同じである。
【００３８】
液晶層２３０に電界が供給されていない場合、液晶分子２３１は、ラビング方向Ｄ２１０に対して反時計回りに一定の角度だけ傾斜している。この状態は、例えば、プレチルトとも称される。
【００３９】
液晶層２３０に電界が供給されると、液晶層２３０には複数の等電位線２３２が発生する。このとき、スリット２１１ａのラビング方向Ｄ２１０の端である辺２１１ｂに位置する液晶分子２３１は、プレチルトとは逆の方向、すなわち、時計回りに立ち上がる。その他の領域に位置する液晶分子２３１は、プレチルトと同じ方向、すなわち、反時計回りに立ち上がる。
【００４０】
このように、スリット２１１ａのラビング方向Ｄ２１０の端である辺２１１ｂの近傍の液晶層２３０には、液晶分子２３１が他の領域の液晶分子とは逆向きに立ち上がるリバースチルトドメイン２３３が発生する。
【００４１】
液晶表示装置１００においても、参考例の液晶表示装置２００と同様に、反射電極１４に設けられたスリット１４ａのラビング方向Ｄ２２の端である辺の近傍の液晶層５０に、リバースチルトドメインが発生する可能性がある。
【００４２】
図７は、実施の形態に係るリバースチルトドメインの一例を示す図である。
液晶表示装置１００では、反射電極１４のスリット１４ａの端部１４ａａの近傍の液晶層５０に、リバースチルトドメイン５１が発生する。ここで、リバースチルトドメイン５１は、斜辺１４ａｄの近傍の液晶層５０には発生していない。
【００４３】
なお、図７は、配向膜２２のラビング方向Ｄ２２が、スリット１４ａの延在方向Ｄ１４ａと略同一である場合の例である。また、図７には、液晶層５０に発生する一部の等電位線５２が示されている。
【００４４】
以上説明してきたように、液晶表示装置１００では、図５に示したように、配向膜２２のラビング方向Ｄ２２が、反射電極１４のスリット１４ａの延在方向Ｄ１４ａと直交する方向Ｄ１，Ｄ２よりも、延在方向Ｄ１４ａに近い。
【００４５】
この構成よれば、ラビング方向Ｄ２２とスリット１４ａの辺とが交差する範囲は、例えば、ラビング方向Ｄ２２が、延在方向Ｄ１４ａよりも方向Ｄ１，Ｄ２に近い場合に比べて小さくなる。これにより、リバースチルトドメイン５１を低減することが可能となる。
【００４６】
例えば、ラビング方向Ｄ２２が延在方向Ｄ１４ａと略同一の場合には、ラビング方向Ｄ２２と交差するスリット１４ａの辺は短辺部分となり、リバースチルトドメイン５１は、図７に示すように短辺に発生し、低減する。
【００４７】
図８は、比較例１を示す図である。
比較例１では、配向膜２２のラビング方向Ｄ２２が、反射電極１４のスリット１４ａの延在方向Ｄ１４ａと直交している。
この場合、ラビング方向Ｄ２２と交差するスリット１４ａの辺は長辺部分となり、リバースチルトドメイン５１は長辺に発生し、増大する。
【００４８】
また、液晶表示装置１００では、図４に示したように、反射電極１４のスリット１４ａにおいて、端部１４ａａの幅Ｗ１が、端部１４ａｂの幅Ｗ２よりも狭い。
この構成によれば、スリット１４ａのラビング方向Ｄ２２の端において、ラビング方向Ｄ２２と鋭角に交差する辺の長さが短くなる。これにより、リバースチルトドメイン５１をさらに低減することが可能となる。
【００４９】
なお、端部１４ａａの幅Ｗ１が「０」の場合、すなわち、端部１４ａａが鋭角を成している場合、リバースチルトドメイン５１を実質的に消滅させることも可能である。
【００５０】
図９は、比較例２を示す図である。
比較例２では、反射電極１４のスリット１４ａが長方形状を成している。すなわち、端部１４ａａの幅Ｗ１と、端部１４ａｂの幅Ｗ２とが同じである。
この場合、リバースチルトドメイン５１は、スリット１４ａの短辺の全域に沿って発生する。なお、図９では、液晶層５０に発生する一部の等電位線５２が示されている。
【００５１】
（変形例）
次に、変形例について説明する。
図１０は、変形例を示す図である。
変形例では、反射電極１４に設けられたスリット１４ｂの形状が、液晶表示装置１００のスリット１４ａとは異なる。スリット１４ｂは、Ｙ方向に長手を備え、Ｙ方向の端である端部１４ｂａと、反対側の端部１４ｂｂとを備えている。
【００５２】
ここで、端部１４ｂａの幅Ｗ３は、端部１４ｂｂの幅Ｗ４よりも狭い。ここでは、幅Ｗ３は、「０」となり、端部１４ｂａは鋭角を成している。また、スリット１４ｂは、端部１４ｂｂから端部１４ｂａにかけて幅が徐々に狭くなっている。端部１４ｂｂと端部１４ｂａとは、Ｙ方向に対して傾斜した斜辺１４ｂｃで結ばれている。
変形例においても、液晶層５０に発生するリバースチルトドメインを低減することが可能となる。
【００５３】
（モジュールおよび適用例）
次に、図１１〜図１５を参照して、上記実施の形態で説明した液晶表示装置の適用例について説明する。上記実施の形態の液晶表示装置は、外部から入力された映像信号あるいは内部で生成した映像信号を、画像あるいは映像として表示するあらゆる分野の電子機器に適用することが可能である。このような電子機器は、例えば、テレビジョン装置、デジタルカメラ、ノート型パーソナルコンピュータ、携帯電話機等の携帯端末装置あるいはビデオカメラ等である。
【００５４】
（適用例１）
図１１は、液晶表示装置が適用されるテレビジョン装置の外観の一例を示す図である。このテレビジョン装置は、例えば、フロントパネル５１１およびフィルターガラス５１２を含む映像表示画面部５１０を有しており、この映像表示画面部５１０は、上記実施の形態に係る液晶表示装置により構成されている。
【００５５】
（適用例２）
図１２は、液晶表示装置が適用されるデジタルカメラの外観の一例を示す図である。図１２（Ａ）は、表側から見た斜視図であり、図１２（Ｂ）は、裏側から見た斜視図である。このデジタルカメラは、例えば、フラッシュ用の発光部５２１、表示部５２２、メニュースイッチ５２３およびシャッターボタン５２４を有しており、その表示部５２２は、上記実施の形態に係る液晶表示装置により構成されている。
【００５６】
（適用例３）
図１３は、液晶表示装置が適用されるノート型パーソナルコンピュータの外観の一例を示す図である。このノート型パーソナルコンピュータは、例えば、本体５３１、文字等の入力操作のためのキーボード５３２および画像を表示する表示部５３３を有しており、その表示部５３３は、上記実施の形態に係る液晶表示装置により構成されている。
【００５７】
（適用例４）
図１４は、液晶表示装置が適用されるビデオカメラの外観の一例を示す図である。このビデオカメラは、例えば、本体部５４１、この本体部５４１の前方側面に設けられた被写体撮影用のレンズ５４２、撮影時のスタート／ストップスイッチ５４３および表示部５４４を有している。その表示部５４４は、上記実施の形態に係る液晶表示装置により構成されている。
【００５８】
（適用例５）
図１５は、液晶表示装置が適用される携帯電話機の外観の一例を示す図である。図１５（Ａ）は、携帯電話機を開いた状態の正面図、図１５（Ｂ）は、図１５（Ａ）の側面図である。さらに、図１５（Ｃ）は、携帯電話機を閉じた状態の正面図、図１５（Ｄ）は、図１５（Ｃ）の左側面図、図１５（Ｅ）は、図１５（Ｃ）の右側面図、図１５（Ｆ）は、図１５（Ｃ）の上側面図、図１５（Ｇ）は、図１５（Ｃ）の下側面図である。
【００５９】
この携帯電話機は、例えば、上側筐体７１０と下側筐体７２０とを連結部（ヒンジ部）７３０で連結したものであり、ディスプレイ７４０、サブディスプレイ７５０、ピクチャーライト７６０およびカメラ７７０を有している。そのディスプレイ７４０およびサブディスプレイ７５０は、上記実施の形態に係る液晶表示装置により構成されている。
【００６０】
なお、本技術は以下のような構成も採ることができる。
（１）  第１の表面を備えた第１の基板と、
前記第１の表面上に形成され、第１の方向に長手を備えたスリットが設けられた反射電極と、
前記第１の表面上に前記反射電極を覆って形成され、前記第１の方向と成す角度が４５度よりも小さい第２の方向にラビング処理された配向膜と、
第２の表面を備え、前記第２の表面が前記第１の表面と対向し、かつ、所定間隔離間して配置された第２の基板と、
前記第２の表面上に形成された共通電極と、
前記第１の表面と前記第２の表面との間に配置された液晶層と、
を有する液晶表示装置。
（２）  前記スリットは、前記第１の方向の端である第１の端部と、反対側の第２の端部とを備え、前記第１の端部の第１の幅は、前記第２の端部の第２の幅よりも狭い、
前記（１）記載の液晶表示装置。
（３）  前記スリットは、前記第１の端部と前記第２の端部との間に、中間部を備え、前記第２の端部から前記中間部にかけて前記第２の幅で延在し、前記中間部から前記第１の端部にかけて幅が徐々に狭くなっている、
前記（２）記載の液晶表示装置。
（４）  前記スリットは、前記第２の端部から前記第１の端部にかけて幅が徐々に狭くなっている、
前記（２）記載の液晶表示装置。
（５）  前記第１の端部は、鋭角を成している、
前記（２）〜（４）のいずれか１つに記載の液晶表示装置。
（６）  画像を表示する液晶表示装置を備え、
前記液晶表示装置が、
第１の表面を備えた第１の基板と、
前記第１の表面上に形成され、第１の方向に長手を備えたスリットが設けられた反射電極と、
前記第１の表面上に前記反射電極を覆って形成され、前記第１の方向と成す角度が４５度よりも小さい第２の方向にラビング処理された配向膜と、
第２の表面を備え、前記第２の表面が前記第１の表面と対向し、かつ、所定間隔離間して配置された第２の基板と、
前記第２の表面上に形成された共通電極と、
前記第１の表面と前記第２の表面との間に配置された液晶層と、を有する、
電子機器。
【符号の説明】
【００６１】
１０，２１０……アレイ基板、１１，４１……透明基板、１１ａ，１１ｂ，４１ａ，４１ｂ……表面、１２……ゲート線、１３……信号線、１４，２１１……反射電極、１４ａ，１４ｂ，２１１ａ……スリット、１４ａａ，１４ａｂ，１４ｂａ，１４ｂｂ……端部、１４ａｃ……中間部、１４ａｄ，１４ｂｃ……斜辺、１５，４２……偏光板、１６……保持容量線、１７，２０……絶縁膜、１８……半導体層、１９……画素電極、１９ａ……開口部、２１……平坦化膜、２２，４５……配向膜、４０，２２０……対向基板、４３……カラーフィルター、４４……共通電極、５０，２３０……液晶層、５１，２３３……リバースチルトドメイン、５２，２３２……等電位線、１００，２００……液晶表示装置、２１１ｂ…辺、２３１……液晶分子、Ｃ１……コンタクトホール、Ｄ１〜Ｄ４……方向、Ｄ１４ａ……延在方向、Ｄ２２，Ｄ４５，Ｄ２１０……ラビング方向、Ｗ１〜Ｗ４……幅
【図１】
2013195473.tif 000003
【図２】
2013195473.tif 000004
【図３】
2013195473.tif 000005
【図４】
2013195473.tif 000006
【図５】
2013195473.tif 000007
【図６】
2013195473.tif 000008
【図７】
2013195473.tif 000009
【図８】
2013195473.tif 000010
【図９】
2013195473.tif 000011
【図１０】
2013195473.tif 000012
【図１１】
2013195473.tif 000013
【図１２】
2013195473.tif 000014
【図１３】
2013195473.tif 000015
【図１４】
2013195473.tif 000016
【図１５】
2013195473.tif 000017